(57)【要約】【課題】マークを視認可能なようにしてアタッチメントを取り付けるにあたって、熱かしめ等のような不可逆的な取付を採用せずに済ませる。【解決手段】車両用ランプ１０は、外面を有するとともに、その外面に印されたマーク２３を有するハウジング２０と、ハウジング２０に取り付けられたアウターレンズ３０と、窓４３を有するとともに、ハウジング２０の外面に取り付けられるベゼル４０と、を備える。マーク２３が窓４３の内側に配置されるように、ベゼル４０がハウジング２０の外面に取り付けられる。【選択図】図２
2016004675.tif 000002
【特許請求の範囲】
【請求項１】
外面を有するとともに、その外面に印されたマークを有するハウジングと、
前記ハウジングに取り付けられたアウターレンズと、
窓を有するとともに、前記ハウジングの前記外面に取り付けられるアタッチメントと、を備え、
前記マークが前記窓の内側に配置されるように前記アタッチメントが前記ハウジングの前記外面に取り付けられる
ことを特徴とする車両用ランプ。
【請求項２】
前記アタッチメントを前記ハウジングに締め付けるネジを更に備える
請求項１に記載の車両用ランプ。
【請求項３】
アタッチメントをランプ本体の外面に接触させ、前記ランプ本体の外面に印されたマークを前記アタッチメントに設けられた窓に重ね、前記アタッチメントを前記ランプ本体の外面に可逆的に取り付ける
ことを特徴とする車両用ランプの製造方法。
【発明の詳細な説明】
【技術分野】
【０００１】
本発明は、車両用ランプの製造方法及び車両用ランプに関する。
【背景技術】
【０００２】
特許文献１には、認証マークが刻印された車両用ランプが開示されている。認証マークには、車両用ランプの外側からその認証マークを視認可能であることと、その認証マークが刻印された部品を取り外して分解できないことが要求されている。
【先行技術文献】
【特許文献】
【０００３】
【特許文献１】特開２００３−２２７０４号公報
【発明の概要】
【発明が解決しようとする課題】
【０００４】
ところで、車両用ランプの設計の都合上、車両用ランプに取り付けるアタッチメント（付属部品）に認証マークを刻印せざるを得ない場合がある。例えば、リアコンビネーションランプの場合、そのリアコンビネーションランプに取り付けるベゼルがアタッチメントであり、認証マークをそのベゼルに刻印せざるを得ない場合がある。
認証マークがアタッチメントに刻印されている場合、熱かしめ等を利用して、アタッチメントを車両用ランプから取り外せないことが要求される。ところが、熱かしめ等のような不可逆的な取付をするためには、時間・コスト・設備が必要となってしまう。
そこで、本発明が解決しようとする課題は、マークを視認可能なようにしてアタッチメントを取り付けるにあたって、熱かしめ等のような不可逆的な取付を採用せずに済ませることである。
【課題を解決するための手段】
【０００５】
以上の課題を解決するために、請求項１に係る発明は、外面を有するとともに、その外面に印されたマークを有するハウジングと、前記ハウジングに取り付けられたアウターレンズと、窓を有するとともに、前記ハウジングの前記外面に取り付けられるアタッチメントと、を備え、前記マークが前記窓の内側に配置されるように前記アタッチメントが前記ハウジングの前記外面に取り付けられることを特徴とする車両用ランプである。
【０００６】
請求項２に係る発明は、前記アタッチメントを前記ハウジングに締め付けるネジを更に備える請求項１に記載の車両用ランプである。
【０００７】
請求項３に係る発明は、アタッチメントをランプ本体の外面に接触させ、前記ランプ本体の外面に印されたマークを前記アタッチメントに設けられた窓に重ね、前記アタッチメントを前記ランプ本体の外面に可逆的に取り付けることを特徴とする車両用ランプの製造方法である。
【発明の効果】
【０００８】
本発明によれば、アタッチメントをランプ本体又はハウジングに可逆的に取り付けたので、ベゼルをランプ本体に取り付けるのに必要な時間・コスト・設備を必要最小限に抑えることができる。
窓がアタッチメントに設けられ、マークが窓の内側に配置されているので、窓を通じてマークを視認することができる。また、マークをアタッチメントに印さなくて済む。
アークをアタッチメントに印さなくても済むので、アタッチメントをハウジング又はランプ本体から取り外すという行為だけでは、マークを車両用ランプから剥奪抹消することができない。
マークがハウジングの外面に印されているため、マークをアウターレンズに印さなくても済む。そのため、ハウジングに印されたマークは、アウターレンズを通過する光の配光に影響を及ばさないうえ、車両用ランプの見栄え及びデザインに悪影響を及ぼさない。
【図面の簡単な説明】
【０００９】
【図１】本発明の実施の形態に係る車両用ランプを車両とともに示した斜視図である。
【図２】II−II断面図である。
【発明を実施するための形態】
【００１０】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００１１】
図１は、車両後部を概略的に示した斜視図である。図１に示すように、車両の本体１の後部に開口２が設けられており、車両の開閉蓋３がこの開口２を開閉するように本体１の後部に取り付けられている。開閉蓋３はトランクリッド又はバックドアである。
【００１２】
車両の本体１の後部には車両用ランプ１０が取り付けられている。その車両用ランプ１０は開口２に隣接して設けられ、開口２の縁の一部が車両用ランプ１０によって規定されている。
【００１３】
車両用ランプ１０はコンビネーションランプであり、少なくとも２種類の信号灯が車両用ランプ１０に内蔵されている。例えば、尾灯、制動灯、方向指示灯及び後退灯が車両用ランプ１０に内蔵されている。
【００１４】
図２は、図１に示すII−IIに沿った水平切断面を上から見て示した断面図である。図１及び図２に示すように、車両用ランプ１０はハウジング２０、アウターレンズ（透明カバー）３０及びベゼル４０等を備える。ハウジング２０が中空を有する箱形に設けられており、ハウジング２０の後面が開口する。アウターレンズ３０が中空を有する箱形に設けられ、アウターレンズ３０の前面が開口する。アウターレンズ３０は透明であって、光を素通しするものである。
【００１５】
アウターレンズ３０がハウジング２０の後部に取り付けられている。具体的には、ハウジング２０の後面の開口の縁がアウターレンズ３０の前面の開口の縁に突き当てられ、これら縁同士の突き当て部が溶着又は接着等によって接合されている。これにより、アウターレンズ３０及びハウジング２０の内側には、アウターレンズ３０及びハウジング２０によって囲われた灯室が形成される。アウターレンズ３０とハウジング２０の取付は不可逆である。つまり、アウターレンズ３０がハウジング２０に取り付けられると、接合部位の破壊、破損、損傷又は塑性変形を伴わない限りアウターレンズ３０とハウジング２０の分解が不可能である。例えば溶着、接着、かしめ又は熱かしめによる取付が不可逆的な取付である。
【００１６】
アウターレンズ３０及びハウジング２０の内側には、信号灯の光源（例えば、ＬＥＤ又はバルブ）及び光学素子（リフレクター、レンズ、導光体又はカラーフィルター等）が設けられている。光源によって発せられた光が光学素子の作用（反射、屈折、導光又はフィルタリング等）によって空間的に配光され、その光がアウターレンズ３０を通過する。
【００１７】
ハウジング２０の外面には、特に車両本体１の開口２を規定するハウジング２０の側面２１には、マーク２３が印（例えば、刻印、捺印、焼印、印刷）されている。マーク２３は認証マーク（例えば、ＥＣＣ認証マーク）、品質基準適合マーク、識別マーク、形式番号、品番、社章、標章、商標その他のマークである。
【００１８】
ここで、互いに取り付けられたハウジング２０及びアウターレンズ３０の内側に信号灯の光源及び光学素子が取り付けられたものをランプ本体１１という。ハウジング２０及びアウターレンズ３０の外面はランプ本体１１の外面でもある。
【００１９】
ハウジング２０の外面には、特に車両本体１の開口２を規定するハウジング２０の側面２１には、ベゼル４０が取り付けられている。つまり、ベゼル４０は、ランプ本体１１に取り付けられるアタッチメントである。
このベゼル４０とハウジング２０は別々に成型されたものである。ベゼル４０とハウジング２０が別体品であるのは、（１）ベゼル４０の素材とハウジング２０の素材が異なるため、（２）金型成型の設計上の都合のためである。
【００２０】
ベゼル４０は上又は下から見てＬ字型に形作られている。つまり、ベゼル４０は側板４１及び後板４２を有する。側板４１及び後板４２が帯板状に設けられ、側板４１の後縁が後板４２の側縁に続いて、側板４１が後板４２の側縁から車両の後ろ側へ延出し、後板４２が側板４１の後縁から車幅方向の内側へ延出する。
【００２１】
側板４１とハウジング２０の側面２１とが互いに対向して、その側板４１がハウジング２０の側面２１に当接するとともに、その側板４１がハウジング２０の側面２１に取り付けられている。ベゼル４０の側板４１とハウジング２０の側面２１との取付は可逆的な取付である。つまり、ベゼル４０の側板４１がハウジング２０の側面２１に取り付けられると、接合部位の破壊、破損、損傷及び塑性変形を伴わずにベゼル４０の側板４１をハウジング２０の側面２１から分解可能であり、再度その接合部位によってベゼル４０の側板４１をハウジング２０の側面２１に取付可能である。例えばネジによる締結又は係止部（爪やフック）同士の係止（引っ掛け）が可逆的な取付である。
【００２２】
本実施形態では、ハウジング２０の側面２１に雌ネジ５１が形成されており、貫通孔（例えば、段穴）５２が側板４１を貫通し、その貫通孔５２が雌ネジ５１に重なり、ネジ５３が貫通孔５２を通って雌ネジ５１にネジ締めされ、そのネジ５３によってベゼル４０の側板４１がハウジング２０の側面２１に締め付けられている。ネジ５３を雌ネジ５１から外すことによってベゼル４０をハウジング２０から分解することができる。
【００２３】
なお、ベゼル４０の側板４１に設けられた係止部（爪）がハウジング２０の側面２１に設けられた係止部に係止する（引っ掛かる）ことによって、ベゼル４０がハウジング２０に取り付けられてもよい。係止部を弾性変形させて、係止部同士の係止を解除することによって、ベゼル４０をハウジング２０から分解することができる。
【００２４】
マーク２３がベゼル４０の側板４１によって隠れないように、窓４３がその側板４１を貫通するように側板４１に形成されている。そして、マーク２３が窓４３の縁の内側に配置され、マーク２３が窓４３を通じて露出する。この実施形態では、窓４３は、その全周が側板４１によって規定された開口である。但し、窓４３は、側板４１の縁において開くように切り欠いた切欠きであってもよい。また、その開口又は切欠きが透明材によって塞がれていてもよい。
【００２５】
車両の開閉蓋３を開いた場合、ベゼル４０及びマーク２３を視認することができる。
【００２６】
続いて、車両用ランプ１０の製造方法について説明する。
金型成型によりベゼル４０を成型することによって、ベゼル４０を準備する。
また、ランプ本体１１を準備する。具体的には、ハウジング２０及びアウターレンズ３０を成型し、次に信号灯の光源及び光学素子をハウジング２０又はアウターレンズ３０の内側に組み付け、次に、ハウジング２０の後面の開口の縁をアウターレンズ３０の前面の開口の縁に突き当て、次にその突き当て部を接合する。ここで、ハウジング２０の成型の際の金型を利用することによってマーク２３をハウジング２０に刻印するか、ハウジング２０の成型後にマーク２３をハウジング２０に刻印する。
【００２７】
次に、ベゼル４０の側板４１をハウジング２０の側面２１に接触させる。この際、窓４３の位置をマーク２３の位置に合わせて、窓４３の縁の内側にマーク２３を配置する。
次に、ベゼル４０の側板４１をハウジング２０の側面２１に可逆的に固定する。具体的には、ネジ５３を段穴５２に通して雌ネジ５１に締め付け、そのネジ５３によって側板４１をハウジング２０の側面２１に締結する。
【００２８】
以上のように、ネジ５３によってベゼル４０をハウジング２０に可逆的に取り付けたので、ベゼル４０をハウジング２０に取り付けるのに必要な時間・コスト・設備を必要最小限に抑えることができる。
窓４３がベゼル４０に設けられているため、ハウジング２０に刻印されたマーク２３を車両用ランプ１０の外からも視認することができる。
ベゼル４０をハウジング２０から分解しても、マーク２３をハウジング２０に残すことができる。つまり、ベゼル４０をハウジング２０から取り外すという行為だけでは、マーク２３を車両用ランプ１０から剥奪抹消することができない。これは、マーク２３が認証マークである場合にその認定基準を充足する。
マーク２３がハウジング２０の表面に形成されているため、マーク２３が車両用ランプ１０によって配光される光に影響を及ばさない。
また、マーク２３がアウターレンズ３０に形成されていないので、アウターレンズ３０の見栄え及びデザインを損なうことを防止することができる。アウターレンズ３０は車両の表面で露出して見える部分であるため、マーク２３が車両用ランプ１０の見栄え及びデザインに悪影響を与えるようなことがない。
【００２９】
なお、本発明を適用可能な実施形態は、上述した実施形態に限定されることなく、本発明の趣旨を逸脱しない範囲で適宜変更可能である。
例えば、アタッチメントがベゼル４０ではなく、他の部品であってもよい。
また、リアコンビネーションランプ以外のランプ（例えば、ヘッドランプ、信号灯）のランプ本体にアタッチメントを取り付ける場合でも、マークがそのランプ本体（特にそのランプ本体のハウジング）の外面に印され、窓がそのアタッチメントに設けられ、そのアタッチメントがランプ本体の外面に接触し、そのマークがその窓の内側に配置され、アタッチメントがネジ等によってそのランプ本体の外面に可逆的に取り付けられている。
【符号の説明】
【００３０】
１０  車両用ランプ
１１  ランプ本体
２０  ハウジング
２３  マーク
３０  アウターレンズ
４０  ベゼル（アタッチメント）
４３  窓
５３  ネジ
【図１】
2016004675.tif 000003
【図２】
2016004675.tif 000004